(57)【特許請求の範囲】
【請求項１】
携帯端末のタッチパネルの３Ｄ画像を立体視するための３Ｄビューワであって、
３Ｄ画像を見るための双眼レンズ部と、携帯端末を収納する収納部を有し、前記双眼レンズ部と前記収納部の間の空間を囲む筐体を有し、前記収納部に収納された携帯端末の前記タッチパネルと前記筐体の外面とを結ぶ導電パターンを設けてなり、
筐体にスリットを設け、前記スリットを通して、前記タッチパネルと前記筐体の外面とを結ぶ前記導電パターンを設けてなり、
筐体が前記双眼レンズ部の設けられた前面板と、左右の側面板と、上面板と、下面板と、背面板とを有し、
上面板の背面板側の端部には、上面側端末固定部が設けられ、下方に向かって折れ曲がって形成されており、
導電パターンの一端が該上面板に接着され、浮いた状態で上面側端末固定部に沿って、収納部に配置され、
前記筐体の外面から前記携帯端末を操作可能にしたことを特徴とする３Ｄビューワ。
【請求項２】
前記上面板と背面板の２つの面板が接する部分の間を通り、前記タッチパネルと前記筐体の外面とを結ぶ前記導電パターンを設けたことを特徴とする請求項１に記載の３Ｄビューワ。
【請求項３】
前記導電パターンが、前記上面板の外面からその背面板側端部を通り、前記タッチパネルに結ばれるように設けられていることを特徴とする請求項２に記載の３Ｄビューワ。
【請求項４】
前記上面板と前記背面板の間に前記携帯端末を前記収納部に差し込むための差込口が設けられていることを特徴とする請求項１から３のいずれか１項に記載の３Ｄビューワ。
【請求項５】
前記背面板の上面板側端部に差込片が連設され、前記携帯端末を前記収納部に収納させて、前記差込片を前記上面板の裏面に沿うように差し込むことを特徴とする請求項１から４のいずれか１項に記載の３Ｄビューワ。
【請求項６】
前記導電パターンが、前記収納部近傍で、蛇腹形に折られていることを特徴とする請求項１から５のいずれか１項に記載の３Ｄビューワ。
【請求項７】
前記双眼レンズ部と前記収納部の間に設けられた、２つのレンズからの視線を仕切る仕切り板を有することを特徴とする請求項１から６のいずれか１項に記載の３Ｄビューワ。
【請求項８】
前記双眼レンズ部の左右からそれぞれ手前に延びる外光遮蔽板を有することを特徴とする請求項１から７のいずれか１項に記載の３Ｄビューワ。
【発明の詳細な説明】
【技術分野】
【０００１】
本発明は、３Ｄビューワに関するものである。特に、スマートフォンなどの携帯端末用の３Ｄビューワに関するものである。
【背景技術】
【０００２】
人間が物を立体として認識するのは、その物を左右の目で、角度を変えて見ているからであり、このように、人間の両眼の視差と同じ角度になるように、一つの物を見る角度を変えて表した少なくとも２つの画像を、左右の目にそれぞれ振り分けて提示すれば、両眼の画像が脳内で同時に知覚・合成されるため、立体的な感覚を得ることができる。そして、このような画像を立体視するためのビュアーが提案されている。
【０００３】
例えば、双眼レンズとアームと仕切り板と支持手段からなり、仕切り板の側面と支持手段の間に携帯端末などの画像表示装置を挟み、双眼レンズを通して画像表示装置の画像を立体視するステレオビューワがある（特許文献１）。
【０００４】
また、画像表示装置を載置する台座部を有して、机などの台上に置いて、手で持つことなく、観察姿勢を安定させて見ることのできる映像観察装置もある（特許文献２）。
【０００５】
これらのビューワは、双眼レンズと画像表示装置の間の空間の周りが囲まれてないため、外光などの影響も受けやすく、視認性の点でも問題が合った。そのため、レンズから画像表示装置までの空間を囲むように筐体を設けたビューワも現れてきた。しかし、このような筐体を設けたビューワでは、画像表示装置の周りが囲まれているので、画像表示装置を兼ねたタッチパネルに触れにくく、操作することができなかった。
【０００６】
公知文献を以下に示す。
【先行技術文献】
【特許文献】
【０００７】
【特許文献１】特開２０１３−１９０４５０号公報
【特許文献２】実用新案登録第３１８５４５８号公報
【発明の概要】
【発明が解決しようとする課題】
【０００８】
本発明は上記のような事情に鑑みてなされたもので、双眼レンズとタッチパネルの間の空間の周りが囲まれていて画像の視認性がよく、且つ、収納した携帯端末のタッチパネルでの操作が可能な３Ｄビューワを提供することを課題としている。
【課題を解決するための手段】
【０００９】
本発明は係る課題に鑑みなされたものであり、請求項１の発明は、携帯端末のタッチパネルの３Ｄ画像を立体視するための３Ｄビューワであって、３Ｄ画像を見るための双眼レンズ部と、携帯端末を収納する収納部を有し、前記双眼レンズ部と前記収納部の間の空間を囲む筐体を有し、前記収納部に収納された携帯端末の前記タッチパネルと前記筐体の外面とを結ぶ導電パターンを設けてなり、筐体にスリットを設け、前記スリットを通して、前記タッチパネルと前記筐体の外面とを結ぶ前記導電パターンを設けてなり、筐体が前記双眼レンズ部の設けられた前面板と、左右の側面板と、上面板と、下面板と、背面板とを有し、上面板の背面板側の端部には、上面側端末固定部が設けられ、下方に向かって折れ曲がって形成されており、導電パターンの一端が該上面板に接着され、浮いた状態で上面側端末固定部に沿って、収納部に配置され、前記筐体の外面から前記携帯端末を操作可能にしたことを特徴とする３Ｄビューワである。
【００１０】
本発明の請求項２の発明は、前記上面板と背面板の２つの面板が接する部分の間を通り、前記タッチパネルと前記筐体の外面とを結ぶ前記導電パターンを設けたことを特徴とする請求項１に記載の３Ｄビューワである。
【００１１】
本発明の請求項３の発明は、前記導電パターンが、前記上面板の外面からその背面板側端部を通り、前記タッチパネルに結ばれるように設けられていることを特徴とする請求項２に記載の３Ｄビューワである。
【００１２】
本発明の請求項４の発明は、前記上面板と前記背面板の間に前記携帯端末を前記収納部に差し込むための差込口が設けられていることを特徴とする請求項１から３のいずれか１項に記載の３Ｄビューワである。
【００１３】
本発明の請求項５の発明は、前記背面板の上面板側端部に差込片が連設され、前記携帯端末を前記収納部に収納させて、前記差込片を前記上面板の裏面に沿うように差し込むことを特徴とする請求項１から４のいずれか１項に記載の３Ｄビューワである。
【００１４】
本発明の請求項６の発明は、前記導電パターンが、前記収納部近傍で、蛇腹形に折られていることを特徴とする請求項１から５のいずれか１項に記載の３Ｄビューワである。
【００１５】
本発明の請求項７の発明は、前記双眼レンズ部と前記収納部の間に設けられた、２つのレンズからの視線を仕切る仕切り板を有することを特徴とする請求項１から６のいずれか１項に記載の３Ｄビューワである。
【００１６】
本発明の請求項８の発明は、前記双眼レンズ部の左右からそれぞれ手前に延びる外光遮蔽板を有することを特徴とする請求項１から７のいずれか１項に記載の３Ｄビューワである。
【発明の効果】
【００１９】
本発明の３Ｄビューワは、双眼レンズとタッチパネルの間の空間の周りが囲まれていて画像の視認性がよく、且つ、収納した携帯端末のタッチパネルでの操作が可能である。
【図面の簡単な説明】
【００２０】
【図１】本発明の３Ｄビューワの一例を正面斜め上から見た様子を模式的に示した説明図である。
【図２】本発明の３Ｄビューワの一例の前面板を倒して正面斜め上から見た様子を模式的に示した説明図である。
【図３】本発明の３Ｄビューワの一例の背面板を倒して背面斜め上から見た様子を模式的に示した説明図である。
【図４】本発明の３Ｄビューワの一例の導電パターンの配置を、模式的に断面で示した説明図である。
【図５】（ａ）（ｂ）（ｃ）本発明の３Ｄビューワの一例の導電パターンの配置の他の形状を、模式的に断面で示した説明図である。
【図６】本発明の３Ｄビューワの一例の本体部分のブランクを模式的に示した説明図である。
【図７】本発明の３Ｄビューワの一例の本体部分に双眼レンズを取り付けた状態を模式的に示した説明図である。
【図８】本発明の３Ｄビューワの一例の組み立てる段階を模式的に示した説明図である。
【図９】本発明の３Ｄビューワの一例の組み立てる段階を模式的に示した説明図である。
【図１０】本発明の３Ｄビューワの他の例を正面斜め上から見た様子を模式的に示した説明図である。
【図１１】本発明の３Ｄビューワの他の例の前面板を倒して正面斜め上から見た様子を模式的に示した説明図である。
【図１２】本発明の３Ｄビューワの他の例の背面板を倒して背面斜め上から見た様子を模式的に示した説明図である。
【図１３】本発明の３Ｄビューワの他の例の導電パターンの配置を、模式的に断面で示した説明図である。
【図１４】（ａ）（ｂ）本発明の３Ｄビューワの他の例の導電パターンの配置の他の形状を、模式的に断面で示した説明図である。
【図１５】本発明の３Ｄビューワの他の例の本体部分のブランクを模式的に示した説明図である。
【図１６】本発明の３Ｄビューワの他の例の組み立てる段階を模式的に示した説明図である。
【図１７】本発明の３Ｄビューワの他の例の組み立てる段階を模式的に示した説明図である。
【発明を実施するための形態】
【００２１】
以下、本発明を実施するための形態につき説明する。
図１は、本発明の３Ｄビューワの一例を正面斜め上から見た様子を模式的に示した説明図、図２は、本発明の３Ｄビューワの一例の前面板を倒して正面斜め上から見た様子を模式的に示した説明図、図３は、本発明の３Ｄビューワの一例の背面板を倒して背面斜め上から見た様子を模式的に示した説明図である。
【００２２】
本例の３Ｄビューワ１００は、図１、図２、図３に示すように、前面板１には、双眼レンズの取り付けられる位置に２つの貫通孔が設けられ、ここに、双眼レンズが取り付けられた双眼レンズ部２が設けられている。
【００２３】
また、前面板１の左右中央下端には、下面板３にかけて鼻よけ部４が窪んで設けられ、使用者が双眼レンズを通して３Ｄ画像を見るときに鼻が当たって見にくくならないようになっている。
【００２４】
また、双眼レンズ部２を設けた前面板１の左右には、左側面板５と右側面板６が手前に延びていて、外光遮蔽板７、８となり、３Ｄ画像を見るときに顔の左右から入る光を遮断し、邪魔にならないようになっている。
【００２５】
双眼レンズはプラスチック製で１枚の平坦なプレートに２つのレンズが形成されていて、このプレートを、複数の厚紙を積層し、プレートが収納されるスペースを設けたレンズ取り付け部材で、前面板１に取り付けられ、双眼レンズ部２が形成されている。
【００２６】
上面板９と背面板１０との間に隙間が設けられていて、携帯端末を収納部１１に収納するときに携帯端末を差し込む差込口１２になっている。また、図３のように、上面板９の背面板１０側の端部には、上面側端末固定部１３が連設され、下方に向かって折れ曲がって形成されている。尚、本例では、背面板１０は上端で内方に折り返されて、２重壁になっている。
【００２７】
このように、双眼レンズ部２と携帯端末の収納部１１の間は、左側面板５と右側面板６、下面板３と上面板９が囲まれ、更に、正面板１と背面板１０を合わせて筐体が形成されて囲まれている。そのため、外部からの光が入りにくくなっていて、携帯端末の画像が見え難くならないようにしている。
【００２８】
左側面板５から下面板３にかけて、右側面板６から下面板３にかけて、それぞれに、前後２本の切れ目と２本の切れ目の間を結ぶように設けられた３本の折罫によって、押し込まれて内方に突き出し、携帯端末の下部の位置を固定する側面側携帯端末固定部１４、１５が設けられている。
【００２９】
また、携帯端末のサイズに合わせて収納部１１の左右のサイズを調整する左右サイズ調整部１６、１７と、携帯端末の下側の位置を調整する下部サイズ調整部１８が設けられている。そして、双眼レンズ部２と、携帯端末を収納する収納部１１の間に、２つのレンズを仕切る仕切り板１９が設けられている。仕切り板１９は、上面板９から延びて、下面板３に固定されている。
【００３０】
そして、導電パターン２０の一端が上面板９に接着され、浮いた状態で上面側端末固定部１３に沿って収納部１１に配置され、図４のように、収納される携帯端末２００のタッチパネルに、接触するようになっている。本例では、導電パターン２０はフレキシブルサーキット基板に設けられ、フレキシブルサーキット基板が、３Ｄビューワ１００に取り付けられている。
【００３１】
フレキシブルサーキット基板は、ポリエチレンテレフタレート、ポリプロピレン、アクリル系などのプラスチックのフィルムやシートに、導電性物質からなるパターンが設けられたものである。パターンは、銀ペーストインキなどの導電性インキで印刷して設けても良いし、導電性が高い金属箔をフィルムやシートにラミネートし、レジストを印刷して必要部を保護し、エッチングして不要部を排除して、導電性パターンを設けても良い。
【００３２】
また、プラスチックのフィルムやシートの替わりに、紙を用いて導電性インキを印刷してもよい。更には、フレキシブルサーキット基板ではなく、金属線を束ねたものを導電パターンに用いてもよい。
【００３３】
導電パターンの配置の他の形状について説明する。
図５（ａ）（ｂ）（ｃ）は、本発明の３Ｄビューワの一例の導電パターンの配置の他の形状を、模式的に断面で示した説明図である。
【００３４】
図５（ａ）では、上面側端末固定部１３が上面板９の背面板１０側の端部に直接設けられているのではなく、端部で折り返された後、下方に向かって折れ曲がって形成されている。そして同様に、導電パターン２０の一端が上面板９に接着され、浮いた状態で上面側端末固定部１３に沿って、収納部１１に配置され、収納される携帯端末２００のタッチパネルに接触するようになっている。
【００３５】
図５（ｂ）では、上面板９にスリットが設けられていて、導電パターン２０の一端が上面板９に接着され、上面板９のスリットを抜けて、また、上面板９と上面側端末固定部１３の間に設けたスリットも抜けて、浮いた状態で上面側端末固定部１３に沿って、収納部１１に配置され、収納される携帯端末２００のタッチパネルに接触するようになっている。
【００３６】
図５（ｃ）では、図５（ａ）のように、導電パターン２０の一端が上面板９に接着され
、浮いた状態で上面側端末固定部１３に沿って、収納部１１に配置され、収納される携帯端末２００のタッチパネルに接触するようになっているが、図５（ａ）と異なり、先端近傍が、谷折り山折りが交互に繰り返される蛇腹形状になっていて、携帯端末に押し付けるような力が働き、よりタッチパネルに接触しやすくなっている。
【００３７】
本例においては、導電パターン２０の一端を上面板９に設けたが、他の面板に設けることもできる。また、タッチパネルに接触しやすいように、縦方向に谷折り山折りが交互に繰り返される蛇腹形状にしたが、横方向に谷折り山折りが交互に繰り返される蛇腹形状にしてもよいし、また、Ｒを付けた谷折り山折りで蛇腹形状にすることもできる。更にはΩ字形に筒のように膨らませた形状にしてもよい。
【００３８】
以下、本例の３Ｄビューワの組み立て方について説明する。
図６は、本発明の３Ｄビューワの一例の本体部分のブランクを模式的に示した説明図、図７は、本発明の３Ｄビューワの一例の本体部分に双眼レンズを取り付けた状態を模式的に示した説明図、図８、図９は、本発明の３Ｄビューワの一例の組み立てる段階を模式的に示した説明図である。
【００３９】
本例の３Ｄビューワ１００は、その本体部分が厚紙からなっている。また、プラスチックシートなどからなっていてもよい。そして、本体部分に、２つのレンズが形成されたプレートを、厚紙を積層してプレートが収納されるスペースを設けたレンズ取り付け部材で取り付けて、組み立てられて形成されている。本発明においてはこれに限定されることなく、別々に形成したレンズ２つを取り付けてもよい。
【００４０】
本体部分のブランク１０１を、図６に示す（図６は内面側から見た図である）。図６のように、３Ｄビューワ１００のブランク１０１は、左側から右に、左側面板５、下面板３、右側面板６、上面板９、貼着板２１が折罫を介して連設されている。左側面板５や右側面板６は、下面板３の前方向の長さが長く設けられ、外光遮蔽板７、８になっている。
【００４１】
下面板３の上端には背面板１０が設けられ、背面板１０には左右方向の折罫が設けられ、２つ折りにして貼着され、２重壁の背面板１０になるように形成されている。また、背面板１０の左右には、背面板固定片２２，２３が設けられている。
【００４２】
更に、背面板１０にはスリット２４、２５が設けられている。そして、左側面板５と右側面板６の上端には、側面板固定片２６、２７が設けられていて、組み立てたときに、スリット２４、２５に、それぞれ側面板固定片２６、２７を差し込んで固定するようになっている。
【００４３】
下面板３の下端には折罫を介して前面板１が設けられ、更に前面板固定片２８が折罫を介して設けられている。前面板１の下端の左右中央には、前面板固定片２８側に飛び出るように切れ目２９が設けられていて、組み立て時に、前面板固定片２８を上面板９の内側に差し込んだときに、切れ目２９により形成された飛び出た凸部が上面板９に当たり、それ以上差し込まれないようにしている。
【００４４】
前面板１には、２つのレンズの位置する所に貫通孔３０、３１がそれぞれ設けられている。前面板１から下面板３にかけて、くの字状の対向した切れ目が２本設けられていて、その２本のそれぞれの両端部とそれぞれの中央部を結ぶように折罫が設けられていて、組み立て時に、中央の折罫を内方に押し込み、見る人の鼻がぶつからない様にする鼻よけ部４が設けられている。
【００４５】
下面板３から左側面板５にかけて、下面板３から右側面板６にかけて、それぞれ横方向
に切れ目が２本ずつ設けられ、２本の切れ目の両端部と中央部を結ぶように折罫が３本設けられていて、組み立て時に、中央の折罫を内方に押し込み、収納部に挿入した形態端末の下部がずれないように、側面側携帯端末固定部１４、１５を形成するようになっている。
【００４６】
下面板３から背面板１０にかけて、縦方向に切れ目が２本設けられ、２本の切れ目の両端部と中央部を結ぶように折罫が３本設けられていて、組み立て時に、中央の折罫を必要に応じて内方に押し込み、携帯端末の下側の位置を調整する下部サイズ調整部１８が設けられている。
【００４７】
背面板１０から背面板固定片２２，２３にかけて、それぞれ横方向に切れ目が２本ずつ設けられ、２本の切れ目の両端部と中央部を結ぶように折罫が３本設けられていて、組み立て時に、中央の折罫を必要に応じて内方に押し込み、携帯端末のサイズに合わせて収納部１１の左右のサイズを調整する左右サイズ調整部１６、１７が設けられている。
【００４８】
上面板９には、上端部に上面側端末固定部１３が折罫を介して連設され、また、下端部には折返し板３２を介して、仕切り板１９と貼着片３３が設けられ、折返し板３２を上面板９の裏面に折り返して貼着させ、仕切り板１９を立たせ、貼着片３３を折り曲げて下面板３に貼着して仕切り板１９を立たせると、２つのレンズの間を仕切るようになる。
【００４９】
このブランク１０１の前面板１の貫通孔３０、３１に、２つのレンズが形成されたプレートのレンズが来るようにして、図７のようにレンズ取り付け部材で取り付け、双眼レンズ部２を設ける。
【００５０】
以下、双眼レンズ部２を設けたブランク１０１から、本例の３Ｄビューワ１００を組み立てる工程について説明する。
【００５１】
図７の双眼レンズ部２を設けたブランク１０１を、上面板９と折返し板３２の間の折罫で折って、図８のように、折返し板３２を上面板９に重ね合わせ貼着する。そして、貼着板２１の外面を左側面板５の内面に貼着し、貼着片３３を下面板３に貼着して、図９のように、筒状にするとともに、仕切り板１９を折返し板３２より起こして、貼着片３３を下面板３に貼着し、２つのレンズの間を仕切るように、仕切り板１９をたてる。
【００５２】
また、導電パターン２０の一端を上面板９に接着し、他端を上面側端末固定部１３に接着しないで、延ばしておく。そして、背面板１０を先端側が内側になるように折り返して２重壁になるようにし、離れないように貼着する。このとき、スリット２４、２５の周囲は、側面板固定片２６、２７が差し込めるように、貼着しない。
【００５３】
次に、２重壁になった背面板１０を起こして、背面板固定片２２を左側面板５の内側に、背面板固定片２３を右側面板６の内側に差し込む、このとき、背面板固定片２２には出っ張り２２´が設けられ、背面板固定片２３には出っ張り２３´が設けられているので出っ張り２２´、２３´が上面板９に当たって、上面板９と背面板１０の間に隙間が生じて、携帯端末の差込口１２になる。
【００５４】
次に背面板１０の外面に側面板固定片２６、２７を倒し、その先端部をスリット２４、２５に差し込み係止して背面板１０を固定する。
【００５５】
この後、前面板１を起こして、前面板固定片２８を上面板９の内側に差し込む。このとき切れ目２９によって、上面板９より上に飛び出す凸部が設けられているので、前面板１はこれ以上内側に入り込むことが無く固定される。そして、鼻よけ部４を２本の切れ目の
中央部を結ぶ折罫を内側に押し込んで形成させる。
【００５６】
これにより、図１のような、本例の３Ｄビューワ１００が組み立てられる。このとき収納部１１に差し込む形態端末のサイズに合わせるために必要に応じて、左右サイズ調整部１６、１７や下部サイズ調整部１８の２本の切れ目の中央部を結ぶ折罫を内側に押し込んで収納するサイズを調整する。
【００５７】
以上のように、本例の３Ｄビューワは、タッチパネルを有する携帯端末を安定して保持することができ、さらに、双眼レンズと画像表示装置の間の空間の周りが囲まれていて、外部からの光の影響を受けにくく視認性に優れ、且つ、収納した携帯端末のタッチパネルでの操作が筐体の外側から可能である。
【００５８】
以下、本発明を実施するための他の形態につき説明する。尚、３Ｄビューワ１００と同一の部分については、同じ符号を使用する。
【００５９】
図１０は、本発明の３Ｄビューワの他の例を正面斜め上から見た様子を模式的に示した説明図、図１１は、本発明の３Ｄビューワの他の例の前面板を倒して正面斜め上から見た様子を模式的に示した説明図、図１２は、本発明の３Ｄビューワの他の例の背面板を倒して背面斜め上から見た様子を模式的に示した説明図、図１３は、本発明の３Ｄビューワの他の例の導電パターンの配置を、模式的に断面で示した説明図である。
【００６０】
本例の３Ｄビューワ３００は、図１０、図１１、図１２に示すように、前面板１には、双眼レンズの取り付けられる位置に２つの貫通孔が設けられ、ここに、双眼レンズが取り付けられた双眼レンズ部２が設けられている。
【００６１】
また、前面板１の左右中央下端には、下面板３にかけて鼻よけ部４が窪んで設けられ、使用者が双眼レンズを通して３Ｄ画像を見るときに鼻が当たって見にくくならないようになっている。
【００６２】
また、双眼レンズ部２を設けた前面板１の左右には、左側面板５と右側面板６が手前に延びていて、外光遮蔽板７、８となり、３Ｄ画像を見るときに顔の左右から入る光を遮断し、邪魔にならないようになっている。
【００６３】
双眼レンズはプラスチック製で１枚の平坦なプレートに２つのレンズが形成されていて、このプレートを、複数の厚紙を積層し、プレートが収納されるスペースを設けたレンズ取り付け部材で、前面板１に取り付けられ、双眼レンズ部２が形成されている。
【００６４】
前例の３Ｄビューワ１００と異なり、上面板９と背面板１０との間に携帯端末を差し込む差込口１２が設けられていない。そして、背面板１０の上端に差込片４１が設けられ、差込片４１を上面板９の内側に差し込むことによって、筐体が閉じるようになっている。このため、携帯端末は、図１２の状態で背面板１０の内側にセットして、背面板１０を閉じて使用する。
【００６５】
また、上面側端末固定部１３は、上面板９の端部から下方に折れ曲がっているのではなく、一旦折り返されてから、下方に折れ曲がって設けられている。
【００６６】
そして、図１３の模式的な断面図に示すように、導電パターン２０の一端が上面板９の外面に接着され、上面板９の背面板１０側端部で折り返され、浮いた状態で上面側端末固定部１３に沿って収納部１１に配置され、収納される携帯端末２００のタッチパネルに、接触するようになっている。その他の部分は、略前例の３Ｄビューワ１００と同様である
。
【００６７】
このように、３Ｄビューワ３００でも、双眼レンズ部２と携帯端末の収納部１１の間は、左側面板５と右側面板６、下面板３と上面板９が囲まれ、更に、正面板１と背面板１０を合わせて筐体が形成されて囲まれている。そのため、外部からの光が入りにくくなっていて、携帯端末の画像が見え難くならないようにしている。
【００６８】
３Ｄビューワ３００の導電パターンの配置の他の形状について説明する。
図１４（ａ）（ｂ）は、本発明の３Ｄビューワの一例の導電パターンの配置の他の形状を、模式的に断面で示した説明図である。
【００６９】
図１４（ａ）では、上面板９にスリットが設けられていて、導電パターン２０の一端が上面板９に接着され、上面板９のスリットを抜けて、更に、上面板９と上面側端末固定部１３の間に設けたスリットも抜けて、浮いた状態で上面側端末固定部１３に沿って、収納部１１に配置され、収納される携帯端末２００のタッチパネルに接触するようになっている。
【００７０】
図１４（ｂ）では、図１３のように、導電パターン２０の一端が上面板９の外面に接着され、上面板９の背面板側端部で折り返され、浮いた状態で上面側端末固定部１３に沿って収納部１１に配置され、収納される携帯端末２００のタッチパネルに接触するようになっている。そして、図１３と異なり、先端近傍が、谷折り山折りが交互に繰り返される蛇腹形状になっていて、携帯端末に押し付けるような力が働き、よりタッチパネルに接触しやすくなっている。
【００７１】
本例においては、導電パターン２０の一端を上面板９に設けたが、他の面板に設けることもできる。また、タッチパネルに接触しやすいように、縦方向に谷折り山折りが交互に繰り返される蛇腹形状にしたが、横方向に谷折り山折りが交互に繰り返される蛇腹形状にしてもよいし、また、Ｒを付けた谷折り山折りで蛇腹形状にすることもできる。更にはΩ字形に筒のように膨らませた形状にしてもよい。
【００７２】
以下、本例の３Ｄビューワ３００の組み立て方について説明する。
図１５は、本発明の３Ｄビューワの一例の本体部分のブランクを模式的に示した説明図、図１６、及び、図１７は、本発明の３Ｄビューワの他の例の組み立てる段階を模式的に示した説明図である。
【００７３】
本例の３Ｄビューワ３００は、前例の３Ｄビューワ１００と同様に、その本体部分が厚紙やプラスチックシートなどからなっている。そして、レンズについても、同様である。
【００７４】
本体部分のブランク３０１を、図１５に示す（図１５は内面側から見た図である）。図１５のように、３Ｄビューワ３００のブランク３０１は、前例の３Ｄビューワ１００のブランク１０１と略同様である。
【００７５】
但し、ブランク１０１とブランク３０１とでは、以下の点で異なる。ブランク１０１では、背面板１０に左右方向の折罫が設けられ、２つ折りにして貼着され、２重壁の背面板１０になるように形成されていたが、本例のブランク３０１では、２つ折りすることなく、背面板１０の端部に差込片４１が設けられる。また、上面側端末固定部１３が、上面板９に直接連設されているのではなく、折返し部４２を介して設けられている。
【００７６】
以下、双眼レンズ部２を設けたブランク１０１から、本例の３Ｄビューワ１００を組み立てる工程について説明する。
【００７７】
このブランク１０１の前面板１の貫通孔３０、３１に、２つのレンズが形成されたプレートのレンズが来るようにして、レンズ取り付け部材で取り付け、双眼レンズ部２を設ける。
【００７８】
また、上面板９と折返し板３２の間の折罫で折って、折返し板３２を上面板９に重ね合わせ貼着する。更に、上面板９と折返し部４２の間の折罫で折って、折返し部４２を上面板９に重ね合わせ貼着し、図１６のように組み立てる。
【００７９】
そして、貼着板２１の外面を左側面板５の内面に貼着し、貼着片３３を下面板３に貼着して、図１７のように、筒状にするとともに、折返し部４２と上端側端末固定部１３の間の折罫で折って、上端側端末固定部１３を下方に折り曲げる。更に、仕切り板１９を折返し板３２より起こして、貼着片３３を下面板３に貼着し、２つのレンズの間を仕切るように、仕切り板１９をたてる。
【００８０】
また、導電パターン２０の一端を上面板９に接着し、更に上面板９の端部で折り返し、上面板９の裏面に貼着した折返し部４２に接着し、更に下方に折り曲げ、他端は上面側端末固定部１３に接着しないで、延ばしておく。
【００８１】
次に、背面板１０を起こして、背面板固定片２２を左側面板５の内側に、背面板固定片２３を右側面板６の内側に差し込む、また、差込辺４１を上面板９の内側に差し込む。このとき、背面板固定片２２には出っ張り２２´が設けられ、背面板固定片２３には出っ張り２３´が設けられているので出っ張り２２´、２３´が上面板９に当たってこれ以上背面板１０が内方に行かないようになる。
【００８２】
次に背面板１０の外面に側面板固定片２６、２７を倒し、その先端部をスリット２４、２５に差し込み係止して背面板１０を固定する。
【００８３】
この後、前面板１を起こして、前面板固定片２８を上面板９の内側に差し込む。このとき切れ目２９によって、上面板９より上に飛び出す凸部が設けられているので、前面板１はこれ以上内側に入り込むことが無く固定される。そして、鼻よけ部４を２本の切れ目の中央部を結ぶ折罫を内側に押し込んで形成させる。
【００８４】
これにより、図１０のような、本例の３Ｄビューワ３００が組み立てられる。このとき収納部１１に差し込む形態端末のサイズに合わせるために必要に応じて、左右サイズ調整部１６、１７や下部サイズ調整部１８の２本の切れ目の中央部を結ぶ折罫を内側に押し込んで収納するサイズを調整する。
【００８５】
以上のように、本例の３Ｄビューワ３００は、タッチパネルを有する携帯端末を安定して保持することができ、さらに、双眼レンズと画像表示装置の間の空間の周りが囲まれていて、外部からの光の影響を受けにくく画面の視認性に優れ、且つ、収納した携帯端末のタッチパネルでの操作が筐体の外側から可能である。
【００８６】
本発明の３Ｄビューワについて、実施形態の３Ｄビューワ１００、３Ｄビューワ３００で説明したが、これらに限定されることなく、携帯端末の差込口が側部に設けられた３Ｄビューワや、差込片が側部にある３Ｄビューワなど、多様な形状についても対応することができる。
【符号の説明】
【００８７】
１００、３００・・・３Ｄビューワ
１０１、３０１・・・ブランク
２００・・・携帯端末
１・・・前面板
２・・・双眼レンズ部
３・・・下面板
４・・・鼻よけ部
５・・・左側面板
６・・・右側面板
７、８・・・外光遮蔽板
９・・・上面板
１０・・・背面板
１１・・・収納部
１２・・・差込口
１３・・・上面側端末固定部
１４、１５・・・側面側携帯端末固定部
１６、１７・・・左右サイズ調整部
１８・・・下部サイズ調整部
１９・・・仕切り板
２０・・・導電パターン
２１・・・貼着板
２２、２３・・・背面板固定片
２２´、２３´・・・出っ張り
２４、２５・・・スリット
２６、２７・・・側面板固定片
２８・・・前面板固定片
２９・・・切れ目
３０、３１・・・貫通孔
３２・・・折返し板
３３・・・貼着片
４１・・・差込片
４２・・・折返し部
【図１】
0006604025.tif 000002
【図２】
0006604025.tif 000003
【図３】
0006604025.tif 000004
【図４】
0006604025.tif 000005
【図５】
0006604025.tif 000006
【図６】
0006604025.tif 000007
【図７】
0006604025.tif 000008
【図８】
0006604025.tif 000009
【図９】
0006604025.tif 000010
【図１０】
0006604025.tif 000011
【図１１】
0006604025.tif 000012
【図１２】
0006604025.tif 000013
【図１３】
0006604025.tif 000014
【図１４】
0006604025.tif 000015
【図１５】
0006604025.tif 000016
【図１６】
0006604025.tif 000017
【図１７】
0006604025.tif 000018